(57)【要約】【課題】どのような使用環境においても、１垂直表示期間経過後に液晶を確実に入力画像信号の定める透過率（目標階調輝度）へ応答到達させることにより、所望の階調輝度を表示することが可能な液晶表示装置を提供する。【解決手段】当該装置内の温度を検出する温度センサー８と、前記検出された装置内温度において、１垂直表示期間経過後に液晶表示パネル５を入力画像信号により定められる透過率に応答させるための強調変換パラメータを、通信ネットワーク２００を介してサーバ３００に対して要求するとともに、前記強調変換パラメータをサーバ３００から取得する通信制御部１０と、前記取得した強調変換パラメータを記憶する書き換え可能なＯＳテーブルメモリ１１と、前記記憶された強調変換パラメータを用いて、入力画像信号に対し、液晶表示パネル５の光学応答特性を補償する強調変換処理を施す強調変換部３とを備えてなる。【選択図】  図１
2004240273.tif 000002
【特許請求の範囲】
【請求項１】
当該装置内の温度を検出する温度検出手段と、
前記検出された装置内温度において、１垂直表示期間経過後に液晶表示パネルを入力画像信号により定められる透過率に応答させるための強調変換パラメータを、外部装置に対して要求する強調変換パラメータ要求手段と、
前記強調変換パラメータを外部装置から取得する強調変換パラメータ取得手段と、
前記取得した強調変換パラメータを記憶する書き換え可能なメモリ手段と、
前記記憶された強調変換パラメータを用いて、入力画像信号に対し、液晶表示パネルの光学応答特性を補償する強調変換処理を施す強調変換手段とを備えたことを特徴とする液晶表示装置。
【請求項２】
前記請求項１に記載の液晶表示装置において、
前記強調変換パラメータ要求手段は、当該装置を識別するための装置識別情報を付加して、前記強調変換パラメータを外部装置に対して要求することを特徴とする液晶表示装置。
【請求項３】
前記請求項１又は２に記載の液晶表示装置において、
前記外部装置は、通信ネットワークを介して接続されたサーバ装置であることを特徴とする液晶表示装置。
【請求項４】
前記請求項１乃至３のいずれかに記載の液晶表示装置において、
前記メモリ手段は、現垂直表示期間の画像信号と１垂直表示期間前の画像信号とから指定される強調変換パラメータを記憶するテーブルメモリであることを特徴とする液晶表示装置。
【請求項５】
通信ネットワークに接続され、１垂直表示期間経過後に液晶表示パネルを入力画像信号により定められる透過率に応答させるための強調変換パラメータを複数の温度毎に対応して保持しているサーバ装置と、
前記通信ネットワークに接続する機能を有する液晶表示装置とを備えたサービス提供システムであって、
前記液晶表示装置は、当該装置内の温度を検出する温度検出手段と、
前記検出された装置内温度において、１垂直表示期間経過後に液晶表示パネルを入力画像信号により定められる透過率に応答させるための強調変換パラメータを、前記サーバ装置に対して要求する強調変換パラメータ要求手段と、
前記強調変換パラメータを前記サーバ装置から取得する強調変換パラメータ取得手段と、
前記取得した強調変換パラメータを記憶する書き換え可能なメモリ手段と、
前記記憶された強調変換パラメータを用いて、入力画像信号に対し、液晶表示パネルの光学応答特性を補償する強調変換処理を施す強調変換手段とを有することを特徴とするサービス提供システム。
【発明の詳細な説明】
【０００１】
【発明の属する技術分野】
本発明は、液晶表示パネルを用いて画像を表示する液晶表示装置に関し、特に液晶表示パネルの光学応答特性を改善することが可能な液晶表示装置及びサービス提供システムに関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ  ＬＣＤが主に用いられている。
【０００４】
最近は、ＬＣＤがコンピュータのディスプレイ装置だけでなく、テレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている（特開平４−３６５０９４号公報等）。以下、本願明細書においては、この駆動方式をオーバーシュート（ＯＳ）駆動と定義する。
【０００６】
また、液晶の応答速度は温度依存性が非常に大きいことが知られており、液晶表示パネルの温度が変化しても、これに対応して表示品位を損なうことなく常に階調変化の応答速度を最適な状態に制御する液晶パネル駆動装置が、例えば特開平４−３１８５１６号公報に記載されている。
【０００７】
このように、使用環境温度に応じて、液晶表示パネルの光学応答特性を補償すべくオーバーシュート駆動を行うものについて、図５乃至図８とともに説明する。ここで、図５は従来の液晶表示装置の要部構成を示す機能ブロック図、図６はＯＳテーブルメモリの内容例を示す説明図、図７は装置内温度と強調変換パラメータとの関係を示す説明図、図８は液晶に加える電圧と液晶の応答との関係を示す説明図である。
【０００８】
図５において、１ａ〜１ｃは入力画像信号の１フレーム期間前後における階調遷移に応じた印加電圧データ（強調変換パラメータ）を、装置内温度毎に格納しているＯＳテーブルメモリ（ＲＯＭ）、２はフレームメモリ（ＦＭ）、３はこれから表示するＭ番目のフレームの入力画像データ（Ｃｕｒｒｅｎｔ  Ｄａｔａ）と、フレームメモリ２に保存されたＭ−１番目のフレームの入力画像データ（Ｐｒｅｖｉｏｕｓ  Ｄａｔａ）とを比較し、該比較結果（階調遷移）に対応する強調変換パラメータをＯＳテーブルメモリ（ＲＯＭ）１ａ〜１ｃのいずれかより読み出して、この強調変換パラメータに基づいてＭ番目のフレームの画像表示に要する強調変換信号を決定する強調変換部である。
【０００９】
また、４は強調変換部３からの強調変換信号に基づいて、液晶表示パネル５のゲートドライバ６及びソースドライバ７に液晶駆動信号を出力する液晶コントローラ、８は当該装置内の温度を検出するための温度センサー、９は温度センサー８で検出された装置内温度に応じて、ＯＳテーブルメモリ（ＲＯＭ）１ａ〜１ｃのいずれかを選択して、強調変換パラメータを切り替えるための制御信号を強調変換部３に出力する制御ＣＰＵである。
【００１０】
ここで、ＯＳテーブルメモリ（ＲＯＭ）１ａ〜１ｃに格納されている強調変換パラメータＬＥＶＥＬ  １、ＬＥＶＥＬ  ２、ＬＥＶＥＬ  ３は、それぞれ基準温度Ｔ１、Ｔ２、Ｔ３（Ｔ１＜Ｔ２＜Ｔ３）の環境下における、液晶表示パネル５の光学応答特性の実測値から予め得られるものであり、それぞれの強調変換度合いはＬＥＶＥＬ  １＞ＬＥＶＥＬ  ２＞ＬＥＶＥＬ  ３の関係となっている。
【００１１】
尚、例えば表示信号レベル数すなわち表示データ数が８ビットの２５６階調である場合、ＯＳテーブルメモリ（ＲＯＭ）には、２５６の全ての階調に対する強調変換パラメータ（実測値）を持っていても良いが、例えば図６に示すように、３２階調毎の９つの代表階調についての強調変換パラメータ（実測値）のみを記憶しておき、その他の階調に対する強調変換信号は、上記実測値から線形補完等の演算で求めるように構成することで、ＯＳテーブルメモリ（ＲＯＭ）の記憶容量を抑制することができる。
【００１２】
次に、従来の液晶表示装置の動作について説明する。温度センサー８で検出された装置内温度Ｔが閾値温度Ｔｈ１（＝（Ｔ１＋Ｔ２）／２）以下であれば、制御ＣＰＵ９は強調変換部３に対し、ＯＳテーブルメモリ（ＲＯＭ）１ａを選択して参照するように指示する（図７参照）。これによって、強調変換部３はＯＳテーブルメモリ（ＲＯＭ）１ａに格納されている強調変換パラメータＬＥＶＥＬ  １を用いて、入力画像信号の強調変換処理を行う。
【００１３】
また、温度センサー８で検出された装置内温度Ｔが閾値温度Ｔｈ１より大きく且つ閾値温度Ｔｈ２（＝（Ｔ２＋Ｔ３）／２）以下であれば、制御ＣＰＵ９は強調変換部３に対し、ＯＳテーブルメモリ（ＲＯＭ）１ｂを選択して参照するように指示する（図７参照）。これによって、強調変換部３はＯＳテーブルメモリ（ＲＯＭ）１ｂに格納されている強調変換パラメータＬＥＶＥＬ  ２を用いて、入力画像信号の強調変換処理を行う。
【００１４】
さらに、温度センサー８で検出された装置内温度Ｔが閾値温度Ｔｈ２より大きければ、制御ＣＰＵ９は強調変換部３に対し、ＯＳテーブルメモリ（ＲＯＭ）１ｃを選択して参照するように指示する（図７参照）。これによって、強調変換部３はＯＳテーブルメモリ（ＲＯＭ）１ｃに格納されている強調変換パラメータＬＥＶＥＬ  ３を用いて、入力画像信号の強調変換処理を行う。
【００１５】
一般的に液晶表示パネルにおいては、ある中間調から別の中間調に変更させる時間は長く、また低温時の入力信号に対する追従性が極端に悪くなり、応答時間が増大するため、中間調を１フレーム期間（例えば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いることにより、図８（ｂ）の実線で示すように、目標の中間調を短時間（１フレーム期間内）で表示することが可能となる。
【００１６】
【特許文献１】
特開平４−３６５０９４号公報
【特許文献２】
特開平４−３１８５１６号公報
【００１７】
【発明が解決しようとする課題】
上述した従来の液晶表示装置においては、閾値温度Ｔｈ１、Ｔｈ２によって区分けされる温度範囲毎に、ＯＳテーブルメモリ（ＲＯＭ）１ａ〜１ｃのいずれを参照するかを決定し、強調変換パラメータＬＥＶＥＬ  １〜ＬＥＶＥＬ  ３を切り替えて、入力画像信号に対して強調変換を行っているが、この強調変換パラメータＬＥＶＥＬ  １〜ＬＥＶＥＬ  ３は、それぞれ基準温度Ｔ１〜Ｔ３において、１フレーム期間経過後に液晶表示パネル５が入力画像信号により定められる透過率に応答することが可能な印加電圧データの実測値である。
【００１８】
従って、装置内温度Ｔが閾値温度Ｔｈ１、Ｔｈ２付近であるときなど、上記基準温度Ｔ１〜Ｔ３と大きく異なっている場合、ＯＳテーブルメモリ（ＲＯＭ）１ａ〜１ｃのいずれを参照して強調変換を行ったとしても、正確に液晶表示パネル５を１フレーム期間経過後に入力画像信号により定められる透過率に応答させることができず、図８（ｂ）の破線で示すように、目標階調輝度に到達しない、或いは、目標階調輝度以上に応答してしまうこととなり、正しい画像表示ができないという問題があった。
【００１９】
また、このように実際の到達階調輝度に誤差が生じているにも関わらず、液晶表示パネル５が現フレームの画像信号の定める透過率（目標階調輝度）に到達していることを前提として、次フレームの画像信号に強調変換処理を施すと、液晶表示パネル５が次フレームの画像信号の定める透過率に到達しなかったり、過剰に応答してしまい、正しい画像表示ができなくなるばかりか、誤差がなしくずし的に増大して、除々に画素が黒化或いは白化してしまうという問題がある。
【００２０】
尚、強調変換パラメータを実測する基準温度Ｔｎのサンプル数をできるだけ多くとって、装置内温度に対応する強調変換パラメータの数を増大させることにより、液晶応答誤差の発生を抑制することは可能であるが、この場合、強調変換パラメータの数だけＯＳテーブルメモリ（ＲＯＭ）も必要となり、リソースの増大によるコストアップ等が避けられず、その実現性には限度がある。
【００２１】
本発明は、上記課題に鑑みてなされたものであり、どのような使用環境においても、１垂直表示期間経過後に液晶を確実に入力画像信号の定める透過率（目標階調輝度）へ応答到達させることにより、所望の階調輝度を表示することが可能な液晶表示装置を提供するものである。
【００２２】
【課題を解決するための手段】
本願の第１の発明は、当該装置内の温度を検出する温度検出手段と、前記検出された装置内温度において、１垂直表示期間経過後に液晶表示パネルを入力画像信号により定められる透過率に応答させるための強調変換パラメータを、外部装置に対して要求する強調変換パラメータ要求手段と、前記強調変換パラメータを外部装置から取得する強調変換パラメータ取得手段と、前記取得した強調変換パラメータを記憶する書き換え可能なメモリ手段と、前記記憶された強調変換パラメータを用いて、入力画像信号に対し、液晶表示パネルの光学応答特性を補償する強調変換処理を施す強調変換手段とを備えたことを特徴とする。
【００２３】
本願の第２の発明は、前記強調変換パラメータ要求手段が、当該装置を識別するための装置識別情報を付加して、前記強調変換パラメータを外部装置に対して要求することを特徴とする。
【００２４】
本願の第３の発明は、前記外部装置が、通信ネットワークを介して接続されたサーバ装置であることを特徴とする。
【００２５】
本願の第４の発明は、前記メモリ手段が、現垂直表示期間の画像信号と１垂直表示期間前の画像信号とから指定される強調変換パラメータを記憶するテーブルメモリであること特徴とする。
【００２６】
本願の第５の発明は、通信ネットワークに接続され、１垂直表示期間経過後に液晶表示パネルを入力画像信号により定められる透過率に応答させるための強調変換パラメータを複数の温度毎に対応して保持しているサーバ装置と、前記通信ネットワークに接続する機能を有する液晶表示装置とを備えたサービス提供システムであって、前記液晶表示装置が、当該装置内の温度を検出する温度検出手段と、前記検出された装置内温度において、１垂直表示期間経過後に液晶表示パネルを入力画像信号により定められる透過率に応答させるための強調変換パラメータを、前記サーバ装置に対して要求する強調変換パラメータ要求手段と、前記強調変換パラメータを前記サーバ装置から取得する強調変換パラメータ取得手段と、前記取得した強調変換パラメータを記憶する書き換え可能なメモリ手段と、前記記憶された強調変換パラメータを用いて、入力画像信号に対し、液晶表示パネルの光学応答特性を補償する強調変換処理を施す強調変換手段とを有することを特徴とする。
【００２７】
本発明の液晶表示装置によれば、当該装置内の温度に対応した最適な強調変換パラメータを外部装置から取得し、この取得した強調変換パラメータを用いて、入力画像信号に対し、液晶表示パネルの光学応答特性を補償する強調変換処理を施することができるので、どのような使用環境においても、１垂直表示期間経過後に液晶表示パネルを確実に入力画像信号の定める透過率（目標階調輝度）へ応答到達させることが可能となり、高画質の画像表示を実現することができる。
【００２８】
【発明の実施の形態】
以下、本発明の一実施形態を、図１乃至図４とともに詳細に説明するが、上記従来例と同一部分には同一符号を付し、その説明は省略する。ここで、図１は本実施形態のサービス提供システムにおける概略構成を示す機能ブロック図、図２は本実施形態のサーバ装置における情報保持例を示す概略説明図、図３は本実施形態の液晶表示装置における制御ＣＰＵの動作を示すフローチャート、図４は本実施形態のサーバ装置における動作を示すフローチャートである。
【００２９】
本実施形態のサービス提供システムは、図１に示すように、通信ネットワーク２００に接続する機能を有する液晶表示装置１００と、通信ネットワーク２００上に存在し、サービス運用会社（例えば液晶表示装置１００のメーカなど）が運用するサーバ３００とから構成される。ここでは、通信ネットワーク２００として、例えば広く一般的に開放されているインターネットを利用するものについて説明するが、これに限られないことは言うまでもない。
【００３０】
サーバ３００には、１垂直表示期間経過後に各液晶表示装置１００の液晶表示パネル５を入力画像信号により定められる透過率に応答させるための強調変換パラメータが複数の温度条件毎に対応して蓄積されている。液晶表示パネル５の光学応答特性は、液晶の配向モードや液晶材料に電界を印加するための電極構造などによって異なる。従って、ここでは、図２に示すとおり、液晶表示装置１００の製品種別毎に、各温度条件に対応した複数の強調変換パラメータが階層構造を有して保持されている。
【００３１】
尚、サーバ３００に保持されている強調変換パラメータは、各製品（液晶表示装置）Ａ〜Ｚで用いられる液晶表示パネル５の光学応答特性の実測値から得られるものであり、１垂直表示期間前後の画像信号における階調遷移の組み合わせに応じて決められたデータである。例えば表示信号レベル数すなわち表示データ数が８ビットの２５６階調である場合、２５６×２５６の全ての階調遷移に対する強調変換パラメータ（実測値）を保持していても良いし、例えば９×９の代表階調についての遷移パターンに対する強調変換パラメータ（実測値）のみを保持していても良い。
【００３２】
また、液晶表示装置１００には、強調変換部３が参照する強調変換パラメータを書き換え可能に記憶するＯＳテーブルメモリ（ＥＥＰＲＯＭ）１１と、当該装置を識別するための装置識別情報を格納した装置識別情報格納部２０と、通信ネットワーク２００上のサーバ３００と通信を行うための通信制御部（モデム）３０と、温度センサー８により検出された装置内温度に対応した強調変換パラメータを、サーバ３００から取得するように通信制御部３０を制御するとともに、取得した強調変換パラメータをＯＳテーブルメモリ（ＥＥＰＲＯＭ）１１に更新記憶するための制御ＣＰＵ４０を備えている。
【００３３】
ここで、書き換え可能な不揮発性のＯＳテーブルメモリ（ＥＥＰＲＯＭ）１１は、図６に示したものと同様、現垂直表示期間の画像信号と１垂直表示期間前の画像信号とから指定される強調変換パラメータを記憶する２次元テーブルメモリである。また、温度センサー８は、なるべく液晶表示パネル５そのものの温度を検出することが可能に設けられるのが望ましく、１個のみならず複数個をそれぞれ異なるパネル面内位置に設けて構成しても良い。
【００３４】
さらに、装置識別情報格納部２０に格納される装置識別情報として、ここでは製品毎に付されるＩＤを用いることとするが、当該装置に用いられている液晶表示パネル５を特定可能なものであれば何でも良い。そしてまた、制御ＣＰＵ４０内には、強調変換パラメータの提供サービスを行っているサーバ３００のＵＲＬアドレスが予め保持されており、このＵＲＬアドレスに基づいて、インターネット上のサーバ３００にアクセスすることが可能となっている。
【００３５】
次に、上記のように構成してなる本実施形態の動作について説明する。まず、液晶表示装置１００では、図３のフローチャートに示すように、温度センサー８から現在の装置内温度データＴを取得し（ステップ１）、前回取得した装置内温度データとの比較を行って（ステップ２）、前回取得データから変化がない場合は、ステップ１に戻る。前回取得データから変化が生じた場合は、通信ネットワーク２００への接続を実行し（ステップ３）、装置識別情報に現在の装置内温度データＴを付加した上で、対応する強調変換パラメータの送信をサーバ３００に要求する（ステップ４）。
【００３６】
そして、当該装置の現在温度に対応した強調変換パラメータを、通信ネットワーク２００を介してサーバ３００から受信（ダウンロード）すると（ステップ５）、これをＯＳテーブルメモリ（ＥＥＰＲＯＭ）１１に書き換え記憶し（ステップ６）、通信ネットワーク２００への接続を切断して（ステップ７）、ステップ１に戻る。尚、通信ネットワーク２００への常時接続が可能な環境においては、上記ステップ３、ステップ７は不要である。
【００３７】
強調変換部３では、ＯＳテーブルメモリ（ＥＥＰＲＯＭ）１１に格納された強調変換パラメータを用いて、入力画像信号に対し強調変換処理を施すことにより、１フレーム期間経過後に液晶表示パネル５が入力画像信号により定められる透過率に応答することが可能な強調変換信号（印加電圧データ）を液晶コントローラ４に出力する。
【００３８】
一方、通信ネットワーク２００上のサーバ３００では、図４のフローチャートに示すように、液晶表示装置１００からの強調変換パラメータの送信要求の有無を判定し（ステップ１１）、強調変換パラメータの送信要求を受信すると、要求元の装置識別情報と装置内温度データＴとに対応する強調変換パラメータを、要求元である液晶表示装置１００へ送信し（ステップ１２）、ステップ１１へ戻る。
【００３９】
以上のとおり、本実施形態の液晶表示装置１００は、使用場所や時間帯などの視聴環境にかかわらず、常に装置内温度に対応した最適な強調変換パラメータを外部から取得することができるので、この外部から取得した最適な強調変換パラメータを用いて、１垂直表示期間経過後に液晶表示パネル５を確実に入力画像信号の定める透過率（目標階調輝度）へ応答到達させることが可能となる。すなわち、強調変換パラメータが実測された環境下における基準温度と装置内温度との不一致による液晶応答誤差の発生を防止して、高画質の画像表示を実現することができる。
【００４０】
また、本実施形態のサービス提供システムにより、液晶表示装置１００の使用環境にかかわらず、常時最適な強調変換パラメータを供給して、高画質の画像表示を実現することが可能である。さらに、液晶表示装置１００では、複数の装置内温度に対応する強調変換パラメータを予め持っておく必要はなく、リソースの増大を防止することが可能である。
【００４１】
尚、上述した実施形態においては、電源投入時以降、常にＯＳテーブルメモリ（ＥＥＰＲＯＭ）１１を参照して強調変換処理を行っているが、上記書き換え可能な不揮発性のＯＳテーブルメモリ（ＥＥＰＲＯＭ）１１に加えて、通信ネットワーク２００への接続が不可能な場合や電源投入時などに参照するための、予め決められた所定の基準温度に対応した強調変換パラメータが格納された読み出し専用のＯＳテーブルメモリ（ＲＯＭ）を設けておいても良い。
【００４２】
また、上記実施形態においては、現フレームの画像信号と１フレーム前の画像信号とからアドレス指定される強調変換パラメータ（印加電圧データ）を２次元マトリクス状に格納するＯＳテーブルメモリ（ＥＥＰＲＯＭ）１１を備え、この強調変換パラメータを用いて、現フレームの画像信号に対し強調変換処理を施すものについて説明したが、現フレームの画像信号の階調レベルから一意に決定される強調変換パラメータ（印加電圧データ）を格納した１次元のテーブルメモリを用いても良い。
【００４３】
さらには、強調変換パラメータとして、例えば遷移前の階調と遷移後の階調とを変数とする、装置内の温度に対応した２次元関数ｆ（ｐｒｅ，ｃｕｒ）を、適宜外部より取得し、これを用いて入力画像信号に対し、液晶表示パネルの光学応答特性を補償する強調変換処理を施す構成としても良い。
【００４４】
そしてまた、上記実施形態において、温度センサー８で検出された装置内温度にヒステリシスを付加して、強調変換パラメータの要求／取得を制御することにより、装置内の検出温度が不安定な場合であっても、頻繁に強調変換パラメータを可変することなく、安定的に強調変換パラメータを更新して、表示画像の画質を向上させることが可能となる。
【００４５】
【発明の効果】
本発明の液晶表示装置は、上記のような構成としているので、当該装置内の温度に対応した最適な強調変換パラメータを外部装置から取得し、この取得した強調変換パラメータを用いて、入力画像信号に対し、液晶表示パネルの光学応答特性を補償する強調変換処理を施することができるので、どのような使用環境においても、１垂直表示期間経過後に液晶表示パネルを確実に入力画像信号の定める透過率（目標階調輝度）へ応答到達させることが可能となり、高画質の画像表示を実現することができる。
【図面の簡単な説明】
【図１】本発明の一実施形態に係るサービス提供装置の概略構成を示す機能ブロック図である。
【図２】本発明の一実施形態に係るサーバ装置の情報保持例を示す概略説明図である。
【図３】本発明の一実施形態に係る液晶表示装置の制御ＣＰＵの動作を示すフローチャートである。
【図４】本発明の一実施形態に係るサーバ装置の動作を示すフローチャートである。
【図５】従来の液晶表示装置における要部構成を示す機能ブロック図である。
【図６】従来の液晶表示装置におけるＯＳテーブルメモリ（ＲＯＭ）の内容例を示す説明図である。
【図７】従来の液晶表示装置における装置内温度と強調変換パラメータとの関係を示す説明図である。
【図８】液晶に加える電圧と液晶の応答との関係を示す説明図である。
【符号の説明】
２  フレームメモリ
３  強調変換部
４  液晶コントローラ
５  液晶表示パネル
６  ゲートドライバ
７  ソースドライバ
８  温度センサー
１１  テーブルメモリ（ＥＥＰＲＯＭ）
２０  装置識別情報格納部
３０  通信制御部
４０  制御ＣＰＵ
１００  液晶表示装置
２００  通信ネットワーク
３００  サーバ
【図１】
2004240273.tif 000003
【図２】
2004240273.tif 000004
【図３】
2004240273.tif 000005
【図４】
2004240273.tif 000006
【図５】
2004240273.tif 000007
【図６】
2004240273.tif 000008
【図７】
2004240273.tif 000009
【図８】
2004240273.tif 000010